【手続補正書】
【提出日】平成26年4月8日(2014.4.8)
【手続補正１】
【補正対象書類名】特許請求の範囲
【補正対象項目名】全文
【補正方法】変更
【補正の内容】
【特許請求の範囲】
【請求項１】
減圧で患者の組織部位を治療する治療システムであって、前記治療システムは、
前記組織部位の近くに設置する治療マニホールドと；
前記治療マニホールドと前記組織部位を覆う密封治療空間を形成する密封部材と；
減圧を提供する減圧源と；
前記減圧源と前記密封治療空間とに流動自在に連結される、流体を受容する容器と
を有し、
前記容器は、
前記流体を受容する内部空間を画定する容器ハウジングと；
前記容器ハウジングの前記内部空間内に前記流体を受容するための、前記容器ハウジングを通る流体入口と
を有し、
前記容器ハウジングのうちの少なくとも一部は、前記流体からの蒸発水の放出を可能にする液体不透過性・蒸気透過性材を有する、
治療システム。
【請求項２】
前記容器ハウジングは窓を有し、
前記窓には、前記液体不透過性・蒸気透過性材によって覆われる窓開口が形成される、
請求項１記載の治療システム。
【請求項３】
前記治療システムはさらに、前記液体不透過性・蒸気透過性材の外部に付随した強制通気装置を有する、
請求項１または２記載の治療システム。
【請求項４】
前記強制通気装置は送風機、静電装置、および圧電ポンプのうちの１つを有する、
請求項３記載の治療システム。
【請求項５】
前記容器ハウジングは通路、通路流入口、および通路流出口を形成する内壁と外壁とを有し、
前記強制通気装置は、前記通路流入口内に強制空気を送達するように構成される、
請求項３記載の治療システム。
【請求項６】
前記容器ハウジングは通路、通路流入口、および通路流出口を形成する内壁と外壁とを有し、
前記強制通気装置は、前記通路流入口内に強制空気を送達するように構成され、
前記容器ハウジングはさらに、前記液体不透過性・蒸気透過性材の内側に連結されるウィッキング層を有する、
請求項３記載の治療システム。
【請求項７】
前記容器ハウジングは通路、通路流入口、および通路流出口を形成する内壁と外壁とを有し、
前記強制通気装置は、前記通路流入口内に強制空気を送達するように構成され、
前記容器ハウジングはさらに、
前記液体不透過性・蒸気透過性材の内側に連結されるウィッキング層と；
前記ウィッキング層の内側に連結されるフィルタ層と
を有する、請求項３記載の治療システム。
【請求項８】
前記液体不透過性・蒸気透過性材は、波形である、
請求項１〜７何れか一項記載の治療システム。
【請求項９】
前記液体不透過性・蒸気透過性材は、外面上にフロック加工される、
請求項１〜８何れか一項記載の治療システム。
【請求項１０】
前記治療システムはさらに、前記容器の前記内部内の前記流体にエネルギを加える内部エネルギ装置を有する、
請求項１〜９何れか一項記載の治療システム。
【請求項１１】
前記容器ハウジングは、容器フレームと、複数のワッフルポケットを形成する複数のバッフルとを有し、
前記ワッフルポケットは、前記液体不透過性・蒸気透過性材によって覆われる、
請求項１、３〜４、および８〜１０何れか一項記載の治療システム。
【請求項１２】
前記内部空間は、浸透圧膜によって互いに分離される創傷液部分と浸透圧液部分とを有し、
前記浸透圧液部分は、前記液体不透過性・蒸気透過性材に流体連通する、
請求項１〜１１何れか一項記載の治療システム。
【請求項１３】
前記容器ハウジングは、第１材料から形成されるとともに複数の窓穴が形成されるハウジングを有し、
前記液体不透過性・蒸気透過性材は、前記複数の窓穴を覆う、
請求項１、３〜１０、および１２何れか一項記載の治療システム。
【請求項１４】
前記容器ハウジングは、前記液体不透過性・蒸気透過性材から形成された可撓性ポーチを有する、
請求項１、３、４、および８〜１０何れか一項記載の治療システム。
【請求項１５】
前記治療システムはさらに、前記内部空間内に配置された加熱素子を有する、
請求項１〜１４何れか一項記載の治療システム。
【請求項１６】
前記内部空間は第１体積Ｖｃを有し、
経過治療時間ｔにわたって前記容器は、流体の第２体積Ｖｆを処理するように機能し、
Ｖｆ＞１０５％Ｖｃである、
請求項１〜１５何れか一項記載の治療システム。
【請求項１７】
前記治療システムはさらに、前記内部空間に付随して凝集剤を有する、
請求項１〜１６何れか一項記載の治療システム。
【請求項１８】
体液を受容および処理する容器であって、前記容器は、
前記体液を受容する内部空間を有する容器ハウジングと；
前記容器ハウジングの前記内部空間内に体液を受容するための、前記容器ハウジングを通る体液流入口と；
前記内部空間内に減圧を提供する減圧流入口と
を有し、
前記容器ハウジングのうちの少なくとも一部は、液体不透過性・蒸気透過性である材料を有する、容器。
【請求項１９】
前記容器ハウジングは窓を有し、
前記窓は、前記液体不透過性・蒸気透過性である材料によって覆われる窓開口を、前記容器ハウジング内に有する、
請求項１８記載の容器。
【請求項２０】
前記容器はさらに、前記液体不透過性・蒸気透過性である材料の外部に付随した強制通気装置を有する、
請求項１８または１９記載の容器。
【請求項２１】
前記強制通気装置は、送風機、静電装置、および圧電ポンプのうちの１つを有する、
請求項２０記載の容器。
【請求項２２】
前記容器ハウジングは通路、通路流入口、および通路流出口を形成する内壁と外壁とを有し、
前記強制通気装置は、前記通路流入口内に強制空気を送達するように構成される、
請求項１８記載の容器。
【請求項２３】
前記容器ハウジングは通路、通路流入口、および通路流出口を形成する内壁と外壁とを有し、
前記強制通気装置は、前記通路流入口内に強制空気を送達するように構成され、
前記容器はさらに、前記液体不透過性・蒸気透過性である材料の内側に連結されるウィッキング層を有する、
請求項１８記載の容器。
【請求項２４】
前記容器ハウジングは通路、通路流入口、および通路流出口を形成する内壁と外壁とを有し、
前記強制通気装置は、前記通路流入口内に強制空気を送達するように構成され、
前記容器はさらに、
前記液体不透過性・蒸気透過性である材料の内側に連結されるウィッキング層と；
前記ウィッキング層の内側に連結されるフィルタ層と
を有する、請求項１８記載の容器。
【請求項２５】
前記液体不透過性・蒸気透過性である材料は、波形である、
請求項１８〜２４何れか一項記載の容器。
【請求項２６】
前記液体不透過性・蒸気透過性である材料は、外面上にフロック加工される、
請求項１８〜２５何れか一項記載の容器。
【請求項２７】
前記容器はさらに、前記容器の前記内部内にエネルギを加える内部エネルギ装置を有する、
請求項１８〜２６何れか一項記載の容器。
【請求項２８】
前記容器ハウジングは、
容器フレームと、
複数のワッフルポケットを形成する複数のバッフルと
を有し、
前記ワッフルポケットは、前記液体不透過性・蒸気透過性である材料によって覆われる、
請求項１８、２０〜２１、および２５〜２７何れか一項記載の容器。
【請求項２９】
前記内部空間は、浸透圧膜によって互いに分離される創傷液部分と浸透圧液部分とを有し、
前記浸透圧液部分は、前記液体不透過性・蒸気透過性である材料に流体連通する、
請求項１８〜２８何れか一項記載の容器。
【請求項３０】
前記容器ハウジングは、第１材料から形成されるとともに、複数の窓穴が形成されるハウジングを有し、
前記液体不透過性・蒸気透過性である材料は、前記複数の窓穴を覆う、
請求項１８、２０〜２７、および２９何れか一項記載の容器。
【請求項３１】
前記容器ハウジングは、前記液体不透過性・蒸気透過性である材料から形成された可撓性ポーチを有する、
請求項１８、２０〜２１、および２５〜２７何れか一項記載の容器。
【請求項３２】
前記容器はさらに、前記内部空間内に配置される加熱素子を有する、
請求項１８〜３１何れか一項記載の容器。
【請求項３３】
前記容器はさらに発熱減圧源を有し、
前記発熱減圧源は、前記内部空間に熱的に連結される、
請求項１８〜３１何れか一項記載の容器。
【請求項３４】
前記内部空間は第１体積Ｖｃを有し、
経過治療時間ｔにわたって前記容器は、体液の第２体積Ｖｆを処理するように機能し、
Ｖｆ＞１０５％Ｖｃである、
請求項１８〜３３何れか一項記載の容器。
【請求項３５】
前記容器はさらに、前記液体不透過性・蒸気透過性である材料の内側に連結されるウィッキング層を有する、
請求項１８〜３４何れか一項記載の容器。
【請求項３６】
前記容器のうちの一部は、凝集剤を含有する、
請求項１８〜３５何れか一項記載の容器。
【請求項３７】
前記減圧流入口は、前記内部空間内のマイクロポンプ上に排気を有する、
請求項１８〜３６何れか一項記載の容器。
【請求項３８】
患者由来の水を含有する体液を処理する方法であって、前記方法は、
容器内に前記体液を侵入させることであって、前記容器は、前記体液を受容する内部空間を有する容器ハウジングと、前記容器ハウジングの前記内部空間内に体液を受容するための、前記容器ハウジングを通る体液流入口とを有し、前記容器ハウジングのうちの少なくとも一部は、液体不透過性・蒸気透過性材を有することと；
前記液体不透過性・蒸気透過性材を用いることで、前記体液から前記水のうちの少なくとも一部を蒸発および除去させることと
を有する、方法。
【請求項３９】
前記水のうちの少なくとも一部を蒸発および除去させることは、
前記内部空間の前記体液にエネルギを提供することを有する、
請求項３８項記載の方法。
【請求項４０】
前記方法はさらに、前記内部空間に熱エネルギを提供することを有する、
請求項３９項記載の方法。
【請求項４１】
前記方法はさらに、前記内部空間に熱エネルギを提供することを有し、
前記熱エネルギを提供することは、前記内部空間内に発熱真空ポンプを配置することを有する、
請求項３９項記載の方法。
【請求項４２】
前記方法はさらに、前記内部空間に熱エネルギを提供することを有し、
前記熱エネルギを前記内部空間に提供することは、前記患者の皮膚由来の熱エネルギが、前記内部空間に移動するように前記患者に熱接触して前記容器を設置することを有する、
請求項３８項記載の方法。
【請求項４３】
前記水のうちの少なくとも一部を蒸発および除去させることは、
前記内部空間で撹拌器を作動させることを有する、
請求項３８〜４２何れか一項記載の方法。
【請求項４４】
前記方法はさらに、前記液体不透過性・蒸気透過性材の外部に空気を押出すことを有する、
請求項３８〜４３何れか一項記載の方法。
【請求項４５】
前記方法はさらに、前記体液を凝集させることを有する、
請求項３８〜４４何れか一項記載の方法。
【請求項４６】
前記水のうちの少なくとも一部を蒸発および除去させることは、
前記液体不透過性・蒸気透過性材の外部に空気を押付けることを有する、
請求項３８〜４５何れか一項記載の方法。
【請求項４７】
前記容器ハウジングは通路、通路流入口、および通路流出口を形成する内壁と外壁とを有し、
前記方法はさらに、前記通路内に空気を送達することを有し、
よって前記空気は、前記液体不透過性・蒸気透過性材に沿って進む、
請求項３８〜４６何れか一項記載の方法。
【請求項４８】
患者の創傷を治療する創傷包帯であって、前記創傷包帯は、
前記創傷に流体連通するとともに前記創傷から体液を受容するように機能する吸収性層であって、前記吸収性層は第１面と、患者に面する第２面とを有することと；
前記吸収性層と前記創傷とを覆うための、液体不透過性・気体透過性材から形成された少なくとも一部を有する外被であって、前記液体不透過性・気体透過性材は、前記吸収性層から前記体液由来の水が蒸発できるようにするとともに、前記液体不透過性・気体透過性材から出て行けるよう機能することと
を有する、創傷包帯。
【請求項４９】
前記創傷包帯はさらに、
患者に面する前記吸収性層の第２面の近くに位置する第１ウィッキング層と；
前記吸収性層の前記第１面と、前記液体不透過性・気体透過性材との近くに位置する第２ウィッキング層と
を有する、
請求項４８記載の創傷包帯。
【請求項５０】
前記創傷包帯はさらに、前記液体不透過性・気体透過性材の外部に空気を移動させる強制通気装置を有する、
請求項４８または４９記載の創傷包帯。
【請求項５１】
体液を受容する容器の製造方法であって、前記製造方法は、
前記体液を受容する内部空間を有する容器ハウジングを形成することと；
前記容器ハウジングの前記内部空間内に体液を受容するための体液流入口を、前記容器ハウジング上に形成することと
を有し、
前記容器ハウジングのうちの少なくとも一部は、液体不透過性・蒸気透過性材を有する、
製造方法。